(57)【要約】      （修正有）【課題】デジタルサイネージ端末に対して鮮度の高い固定長のニュースを配信することで，ニュースの間に放送するＣＭコンテンツへの関心を惹起させるニュース配信システムを提供する。【解決手段】ニュースである準固定長の動画データを含むニュース素材データを，ニュース配信サーバから取得するニュース素材データ取得部と，取得したニュース素材データにおける動画データを，ヘッドラインおよびバックラインで挟むことで，放送時間が固定長のレンダリングデータを生成するレンダリングデータ生成部と，ニュースを放送する時間帯であるニュース枠に，生成したレンダリングデータに基づくニュースを，あらかじめ定められた本数毎に１組として割り当てる割当処理部と，生成したレンダリングデータとニュースの間に放送するＣＭデータとをデジタルサイネージ端末に配信することで，該デジタルサイネージ端末において放送させる配信処理部とを有する。【選択図】図１
2014220679.tif 000002
【特許請求の範囲】
【請求項１】
デジタルサイネージ端末でニュースを放送するためのニュース配信システムであって，
前記ニュース配信システムは，
ニュースである準固定長の動画データを含むニュース素材データを，ニュース配信サーバから取得するニュース素材データ取得部と，
前記取得したニュース素材データにおける動画データを，ヘッドラインおよびバックラインで挟むことで，放送時間が固定長のレンダリングデータを生成するレンダリングデータ生成部と，
ニュースを放送する時間帯であるニュース枠に，前記生成したレンダリングデータに基づくニュースを，あらかじめ定められた本数毎に１組として割り当てる割当処理部と，
前記生成したレンダリングデータとニュースの間に放送するＣＭデータとを前記デジタルサイネージ端末に配信することで，該デジタルサイネージ端末において放送させる配信処理部と，
を有することを特徴とするニュース配信システム。
【請求項２】
前記レンダリングデータ生成部は，
前記ニュース素材データに含まれる付随データにおけるヘッドライン項目を，まだヘッドライン項目が割り当てられていないヘッドラインに対して割り当てるヘッドラインレイアウト処理部と，
前記ニュース素材データに含まれる準固定長の動画データに対して，ヘッドラインおよび／またはバックラインの表示時間を調整して挟み込むことで放送時間が固定長のレンダリングデータを生成するビデオレイアウト処理部と，
前記ニュース素材データに含まれる付随データにおけるコメントを，前記動画データに対応づけるロール処理部と，
を有することを特徴とする請求項１に記載のニュース配信システム。
【請求項３】
前記割当処理部は，
前記１組のニュースにおけるレンダリングデータの転送時間が，現在時刻からニュース枠の放送開始時刻までの時間よりも短く，かつまだニュースが割り当てられていないニュース枠に，前記１組のニュースを割り当てる，
ことを特徴とする請求項１または請求項２に記載のニュース配信システム。
【請求項４】
前記ニュース配信システムは，
前記ＣＭデータを配信するＣＭ配信サーバからＣＭデータを取得するＣＭサーバ，
を有することを特徴とする請求項１から請求項３のいずれかに記載のニュース配信システム。
【請求項５】
前記ニュース配信システムは，
ニュースの間に放送するＣＭデータとして，あらかじめ放送する時間帯が定められたＣＭデータがある場合には，該ＣＭデータを前記デジタルサイネージ端末に配信する，
ことを特徴とする請求項１から請求項４のいずれかに記載のニュース配信システム。
【請求項６】
前記ニュース配信システムは，
ニュースの間に放送するＣＭデータとして，ニュースの内容に対応する属性情報を有するＣＭデータを前記デジタルサイネージ端末に配信する，
ことを特徴とする請求項１から請求項５のいずれかに記載のニュース配信システム。
【発明の詳細な説明】
【技術分野】
【０００１】
本発明はデジタルサイネージ端末に対して鮮度の高いニュースを配信することで，ニュースの間に放送するＣＭコンテンツへの関心を惹起させるニュース配信システムに関する。
【背景技術】
【０００２】
電車内に設けられたディスプレイやユーザが利用する可搬型通信端末（携帯電話，ＰＨＳ，タブレット型コンピュータなど）などに対して，ニュースを配信するシステムが存在する。このようなシステムの一例を下記特許文献１および特許文献２に示す。
【０００３】
下記特許文献１および特許文献２のようなシステムを用いることで，ユーザはどこにいてもニュースを視聴し，または自らが所望するコンテンツを閲覧することが出来るので，ユーザにとっては時間の有効活用をすることが出来，非常に有益である。
【先行技術文献】
【特許文献】
【０００４】
【特許文献１】特開２００２−１９０７６４号公報
【特許文献２】特開２００３−３２７５４号公報
【発明の概要】
【発明が解決しようとする課題】
【０００５】
特許文献１および特許文献２に示されるような，従来のニュースの配信システムの場合，ニュースの放送時間は定められておらず，ニュースの内容や質，放送枠によって変動している。そのため，ニュースの視聴者は，視聴したいニュースがあったとしてもそれがいつ放送されるのかを知ることが出来ないため，結果，かかるニュースの配信システムに注目をしなくなってしまう。
【０００６】
またニュースの配信がされていたとしても，そのニュースが最新のものではない場合，視聴者の関心を惹起する程度が低くなり，上記と同様にニュースの配信システムに注目をしなくなってしまう。
【課題を解決するための手段】
【０００７】
そこで本発明者は，最新のニュースをほぼリアルタイムで配信を受け，それを所定時間の長さに揃えたニュースを放送することで，鮮度の高いニュースを定められたタイミングで放送可能なニュース配信システムを発明した。また，このニュース配信システムにおいて，ニュースの間にＣＭコンテンツを挟み込み放送することで，ＣＭコンテンツへの注目を高めることも可能となるニュース配信システムを発明した。
【０００８】
本件出願にかかる発明は，デジタルサイネージ端末でニュースを放送するためのニュース配信システムであって，前記ニュース配信システムは，ニュースである準固定長の動画データを含むニュース素材データを，ニュース配信サーバから取得するニュース素材データ取得部と，前記取得したニュース素材データにおける動画データを，ヘッドラインおよびバックラインで挟むことで，放送時間が固定長のレンダリングデータを生成するレンダリングデータ生成部と，ニュースを放送する時間帯であるニュース枠に，前記生成したレンダリングデータに基づくニュースを，あらかじめ定められた本数毎に１組として割り当てる割当処理部と，前記生成したレンダリングデータとニュースの間に放送するＣＭデータとを前記デジタルサイネージ端末に配信することで，該デジタルサイネージ端末において放送させる配信処理部と，を有するニュース配信システムである。
【０００９】
本発明のように構成することで，ニュース配信サーバから取得したニュースを，固定長の時間に自動的に調整した上でデジタルサイネージ端末で放送することが可能となる。そのため，鮮度の高いニュースを放送することが出来，また１つのニュースの放送時間が定められているので，ユーザたる視聴者が視聴したいニュースがある場合には，それがいつ放送されるのかを認識することが出来る。そのため，それまでの間，ユーザを放送に引きつけておくことが出来，ＣＭに対する関心を惹起することも出来る。
【００１０】
上述の発明において，前記レンダリングデータ生成部は，前記ニュース素材データに含まれる付随データにおけるヘッドライン項目を，まだヘッドライン項目が割り当てられていないヘッドラインに対して割り当てるヘッドラインレイアウト処理部と，前記ニュース素材データに含まれる準固定長の動画データに対して，ヘッドラインおよび／またはバックラインの表示時間を調整して挟み込むことで放送時間が固定長のレンダリングデータを生成するビデオレイアウト処理部と，前記ニュース素材データに含まれる付随データにおけるコメントを，前記動画データに対応づけるロール処理部と，を有するニュース配信システムのように構成することができる。
【００１１】
ニュース素材データにおける動画データは，編集されているのである程度，基準となる時間に近い時間であるが，ニュースの内容，質などによって，若干の前後があることが否めない。そこで本発明のように構成することで，準固定長のニュースについて，放送時間が固定長のレンダリングデータとして生成することが出来る。
【００１２】
上述の発明において，前記割当処理部は，前記１組のニュースにおけるレンダリングデータの転送時間が，現在時刻からニュース枠の放送開始時刻までの時間よりも短く，かつまだニュースが割り当てられていないニュース枠に，前記１組のニュースを割り当てる，ニュース配信システムのように構成することもできる。
【００１３】
ニュース枠にニュースを割り当てる場合には，本発明のようにデータの転送時間を考慮して割り当てることがよい。
【００１４】
上述の発明において，前記ニュース配信システムは，前記ＣＭデータを配信するＣＭ配信サーバからＣＭデータを取得するＣＭサーバ，を有するニュース配信システムのように構成することができる。
【００１５】
本発明のように構成することで，ＣＭデータを外部のＣＭ配信サーバから取得することが可能となる。
【００１６】
上述の発明において，前記ニュース配信システムは，ニュースの間に放送するＣＭデータとして，あらかじめ放送する時間帯が定められたＣＭデータがある場合には，該ＣＭデータを前記デジタルサイネージ端末に配信する，ニュース配信システムのように構成することができる。
【００１７】
上述の発明において，前記ニュース配信システムは，ニュースの間に放送するＣＭデータとして，ニュースの内容に対応する属性情報を有するＣＭデータを前記デジタルサイネージ端末に配信する，ニュース配信システムのように構成することができる。
【００１８】
ニュースの間に放送するＣＭデータは，これらの発明のように選択することが出来る。
【発明の効果】
【００１９】
上述の発明により，鮮度の高いニュースの配信を受け，それを所定時間の長さに揃えて放送することが出来る。そのため，視聴者は自らが視聴を希望するニュースがどのタイミングで放送されるかを予測できるので，放送に対する関心を引きつけておくことが出来る。また，放送されるニュースは鮮度の高いものであることから，視聴者の関心をこの観点からも引きつけておくことが出来る。さらに，放送に関心が惹起されていることから，ニュースの間に放送されるＣＭコンテンツにも注目を呼ぶことができ，ＣＭコンテンツの価値を高めることにも繋がる。
【図面の簡単な説明】
【００２０】
【図１】本発明のニュース配信システムのシステム構成の一例を模式的に示す概念図である。
【図２】本発明のニュース配信システムで用いるコンピュータのハードウェア構成の一例を模式的に示す概念図である。
【図３】本発明のニュース配信システムの処理プロセスの一例を模式的に示すフローチャートの一例である。
【図４】レンダリングデータ生成部におけるレンダリング処理の概念を模式的に示す図である。
【図５】ヘッドラインに割り当てる処理の概念を模式的に示す図である。
【図６】レンダリングデータを割り当てる処理の概念を模式的に示す図である。
【図７】配信スケジュールの概念を模式的に示す図である。
【発明を実施するための形態】
【００２１】
本発明のニュース配信システム１のシステム構成の全体の概念図を図１に示す。
【００２２】
本発明のニュース配信システム１は，放送すべきニュースを配信するニュース配信サーバ３，ニュースの間に挟み込み放送するＣＭコンテンツを配信するＣＭ配信サーバ４，ニュースを放送して視聴者たるユーザが視聴するデジタルサイネージ端末５，ニュース配信サーバ３やＣＭ配信サーバ４からデータを受け取り，所定の処理を行った上，デジタルサイネージ端末５で放送させるデジタルサイネージ配信会社システム２とを有する。
【００２３】
各システムやサーバは，一台または複数台のコンピュータ（サーバを含む）から構成されている。そして各コンピュータは，プログラムの演算処理を実行するＣＰＵなどの演算装置９０と，情報を記憶するＲＡＭやハードディスクなどの記憶装置９１と，ディスプレイ（画面）などの表示装置９２と，キーボードやポインティングデバイス（マウスやテンキーなど）などの入力装置９３と，演算装置９０の処理結果や記憶装置９１に記憶する情報をインターネットやＬＡＮなどのネットワークを介して送受信する通信装置９４とを有していることが好ましいが，一部の装置を備えていなくても良い。コンピュータ上で実現する各機能（各手段）は，その処理を実行する手段（プログラムやモジュールなど）が演算装置９０に読み込まれることでその処理が実行される。各機能は，記憶装置９１に記憶した情報をその処理において使用する場合には，該当する情報を当該記憶装置９１から読み出し，読み出した情報を適宜，演算装置９０における処理に用いる。図２にコンピュータのハードウェア構成の一例を模式的に示す。また，各システムやサーバは，複数のコンピュータ端末またはサーバに，その機能が分散配置されていても良い。
【００２４】
本発明における各手段は，その機能が論理的に区別されているのみであって，物理上あるいは事実上は同一の領域を為していても良い。
【００２５】
ニュース配信サーバ３は，テレビ放送局などで放送する／したニュースコンテンツであるニュース素材データをデジタルサイネージ配信会社システム２に送るサーバである。この際のニュース素材データは，動画ファイル（ＡＶファイル）と付随データとから構成されており，動画ファイルは準固定長（たとえば４５秒程度）に編集された動画ファイルとなっている。この時点では，動画ファイルは準固定長なので，基準となる時間の前後には編集されているが基準となる時間と正確に一致しているとはかぎらない。
【００２６】
ニュース素材データに含まれる付随データは，たとえばＸＭＬ形式のデータファイルであり，動画ファイル名，ヘッドライン項目，コメント（当該動画ファイルと同時にロール動作で放送するテキスト）などのデータが含まれている。
【００２７】
ＣＭ配信サーバ４は，ニュースの間に放送する固定長（たとえば１５秒，３０秒）のＣＭデータをデジタルサイネージ配信会社システム２に送るサーバである。なお，デジタルサイネージ配信会社システム２であらかじめ配信するＣＭデータを記憶している場合には，ＣＭ配信サーバ４は設けずとも良い。なおＣＭデータには，ＣＭを識別する識別情報とその放送時間（たとえば１５秒，３０秒）とが対応づけて記憶されている。
【００２８】
デジタルサイネージ端末５は，ニュースおよびＣＭコンテンツをその各装置のディスプレイで再生することで放送する端末であって，たとえば表示装置９２を備えた広告ディスプレイ，可搬型通信端末，データ通信が可能なカーナビゲーション装置などがある。
【００２９】
特に広告ディスプレイはさまざまな場所に設置することが出来，たとえば駅の通路のコンコースやプラットフォーム，車両内，街角，空港，ショッピングセンターなどの建築物など，任意の場所に設置が可能である。
【００３０】
デジタルサイネージ配信会社システム２は，ニュースサーバ６とＣＭサーバ７とデジタルサイネージ配信サーバ８とを有しているが，これは概念的な区別に過ぎず，物理的には一体的にあるいは別のものとして構成されていても良い。
【００３１】
ニュースサーバ６は，ニュース配信サーバ３からニュース素材データを取得し，自動的にレンダリング処理を実行することでレンダリングデータを生成する。
【００３２】
ＣＭサーバ７は，ＣＭ配信サーバ４からＣＭデータを取得する。なお，ＣＭサーバ７は，ＣＭデータをあらかじめ記憶していても良い。
【００３３】
デジタルサイネージ配信サーバ８は，ニュースサーバ６で生成したレンダリングデータと，ＣＭサーバ７におけるＣＭデータとに基づいてデジタルサイネージ端末５で放送を行うための配信処理を実行する。
【００３４】
ニュースサーバ６は，ニュース素材データ取得部６１とニュース素材データ記憶部６２とレンダリングデータ生成部６３とレンダリングデータ記憶部６４と割当処理部６５とを有する。
【００３５】
ニュース素材データ取得部６１は，ニュース配信サーバ３からニュース素材データを取得し，後述するニュース素材データ記憶部６２に，動画ファイルと付随データとをそれぞれ記憶させる。
【００３６】
ニュース素材データ記憶部６２は，ニュース素材データ取得部６１が取得したニュース素材データの，動画ファイルと付随データとを記憶する。
【００３７】
レンダリングデータ生成部６３は，ニュース素材データ取得部６１で取得したニュース素材データに基づいて自動的に，レンダリング処理を実行することで，あらかじめ定められた固定の時間長（固定長），たとえば１分間のレンダリングデータを生成する。自動レンダリング処理の概念図を図４に模式的に示す。
【００３８】
レンダリングデータ生成部６３は，ヘッドラインレイアウト処理部６３１とビデオレイアウト処理部６３２とロール処理部６３３とを有する。
【００３９】
ヘッドラインレイアウト処理部６３１は，ニュース素材データの付随データにおけるヘッドライン項目を抽出し，デジタルサイネージ端末５で放送する際のヘッドラインに割り当てる。すなわち，まだニュース素材データのヘッドライン項目が割り当てられていないもののうち，最も新しく放送されるヘッドラインに対して，当該ヘッドライン項目を割り当てる。たとえば，ヘッドラインのうち，１番目から７番目まで割り当てられている場合，８番目にヘッドライン項目を割り当てる。これを模式的に示すのが図５である。
【００４０】
ビデオレイアウト処理部６３２は，ヘッドラインレイアウト処理部６３１で割り当てたヘッドラインが放送する順番が到来した場合に放送する，動画データのレイアウトを設定する。即ち，放送画面内の中心付近に動画データの最初から再生されるように設定する。
【００４１】
またビデオレイアウト処理部６３２は，動画データの時間に合わせて，ヘッドラインの表示時間，バックラインの表示時間を調整する。ニュース素材データは準固定長であり，あらかじめ定められた基準時間の前後の時間（準固定長）で編集されている。たとえば４５秒前後の長さで編集がされている。しかしながら４５秒ちょうどとは限らず，ニュースの素材や内容によって，多少の前後が発生する。そこで，本発明では１本のニュースの放送時間があらかじめ定められた所定の時間となるように，動画データの処理を行う。
【００４２】
たとえば１本のニュースの放送時間が１分であり，標準的には，ニュース素材データが４５秒，ヘッドラインが１０秒，バックラインが５秒であるとする。そしてニュース素材データが４８秒の場合，ヘッドラインを１０秒，バックラインを２秒に変更し，全体として１分となるように調整する。あるいはニュース素材データが４４秒の場合，ヘッドラインを１０秒，バックラインを６秒に変更し，全体として１分となるように調整する。
【００４３】
好ましくはバックラインの表示秒数を変更すると良いが，バックラインが極端に短くなると，かえって見にくくなる場合がある。その場合にはヘッドラインの表示時間を変更することで調整しても良い。またバックラインではなく，先にヘッドラインの表示時間で調整してもよい。
【００４４】
なお，バックラインやヘッドラインの表示時間の調整はあらかじめ定められた基準で表示時間の増減をすれば如何なる方法であっても良い。以上のようにすることで準固定長であったニュースの放送時間を，固定長に調整することが出来る。
【００４５】
ロール処理部６３３は，付随データに含まれるコメントのテキストデータについて，所定箇所にロール表示（右から左，上から下など，画面内の所定箇所で文字が順送りで表示される方法）するために，ロール表示の動作を設定する。たとえば動画データの放送時間に合わせてロールする速度を設定する。なお，テキストデータについては，ロール表示に限定されず，静止表示であってもよい。この場合，ロール処理部６３３は，テキストデータの静止表示の動作を設定する。
【００４６】
以上のように，レンダリングデータ生成処理部で自動的にレンダリング処理が実行されたニュース素材データは，レンダリングデータとしてレンダリングデータ記憶部６４に記憶される。
【００４７】
割当処理部６５は，レンダリングデータ生成部６３で生成したレンダリングデータを，どのニュース枠で放送するかを割り当てる。ニュース枠とはあらかじめ定められた本数のニュースを１組として設定している枠である。たとえば５本で１組のニュース枠のように設定されている。１組のニュース枠におけるニュースのヘッドライン項目が，ヘッドラインで表示されることが好ましい。
【００４８】
割当処理部６５におけるレンダリングデータの割り当て処理の一例を図６に模式的に示す。割当処理部６５は，生成されたレンダリングデータに基づいて，ヘッドラインを所定数ごと，たとえば５項目ごとに区切り，それを１組として，空いているニュース枠のうち最も早く放送されるニュース枠に割り当てる。
【００４９】
すなわち，
１組のニュース枠のレンダリングデータの転送時間＜現在時刻からニュース枠の放送開始時刻までの時間
となるニュース枠であって，それらのニュース枠のうちまだ埋まっていないニュース枠の最も早い放送のニュース枠に割当を行う。なお転送時間とは，転送に要する時間であって，ニュースサーバ６およびデジタルサイネージ配信サーバ８における処理時間が，転送時間に含まれても良い。
【００５０】
たとえば図６の場合，現時刻の直後にニュース枠Ｂがあるが，デジタルサイネージ配信会社システム２から各デジタルサイネージ端末５へのデータの転送時間等を踏まえると，
データの転送時間＞現時刻からニュース枠Ｂまでの放送時間
となることから，割当処理部６５はニュース枠Ｂを特定することは出来ない。
【００５１】
そして，
１組のニュース枠のレンダリングデータの転送時間＜現在時刻からニュース枠の放送開始時刻までの時間
を充足するニュース枠であるニュース枠Ｃ以降であって，まだ埋まっていないニュース枠のうち最も早い放送のニュース枠に割当を行うこととなる。
【００５２】
デジタルサイネージ配信サーバ８は，レンダリングデータ取得部８１とＣＭデータ取得部８２と配信処理部８３とを有する。
【００５３】
レンダリングデータ取得部８１は，ニュースサーバ６からレンダリングデータを取得する。この際に，１組のニュース枠としてまとめられたレンダリングデータを取得すると良い。
【００５４】
ＣＭデータ取得部８２は，ＣＭサーバ７からＣＭデータを取得する。この際に取得するＣＭデータとしては，レンダリングデータ取得部８１で取得した１組のニュース枠において，ニュースの間で放送するＣＭデータであるとよい。たとえば配信スケジュールが図７の場合，各ニュースの間に３０秒のＣＭデータが放送される。そのため，１５秒のＣＭデータを二つ，あるいは３０秒のＣＭデータを一つ，ＣＭサーバ７からそれぞれ取得する。
【００５５】
なお，どのような種類のＣＭデータを取得するかは任意の方法で定められる。あらかじめ放送する時間帯で定められている場合にはその時間帯に対応するＣＭデータ，前後のニュースの内容で定められている場合にはそのニュースの内容に対応する属性情報を有するＣＭデータ，などを取得する。
【００５６】
たとえばあらかじめ図７の配信スケジュールのように，２０１３年４月２２日の１４時００分００秒からのニュースに対応して放送することが定められているＣＭデータの場合，ＣＭデータ取得部８２はその時間帯に基づいて，対応するＣＭデータをＣＭサーバ７から取得する。
【００５７】
またニュースの内容に応じて放送するＣＭデータを取得する場合には，ニュースの内容がスポーツであれば，スポーツに関連づけられた属性情報を有するＣＭデータ，ニュースの内容が経済情報であれば，金融商品に関連づけられた属性情報を有するＣＭデータなどを取得する。従って，ＣＭデータにはその放送時間のほか，ジャンルなどの属性情報が対応づけられている。
【００５８】
配信処理部８３は，レンダリングデータ取得部８１で取得したレンダリングデータと，ＣＭデータ取得部８２で取得したＣＭデータとを各デジタルサイネージ端末５に配信する。この場合，特定の場所や地域のデジタルサイネージ端末５にだけ配信できるようにしても良い。ここで配信したレンダリングデータとＣＭデータとをデジタルサイネージ端末５で再生することで，ニュースやＣＭコンテンツを放送することが可能となる。
【００５９】
つぎに本発明の処理プロセスの一例を図３のフローチャートを用いて説明する。
【００６０】
テレビ放送局など，あらかじめデジタルサイネージ配信会社と契約したニュース素材データの製作会社は，あらかじめ定められた時間長の前後である準固定長の時間で動画データを編集し，当該動画データに対応する付随データと合わせてニュース素材データとして，ニュース配信サーバ３からデジタルサイネージ配信会社システム２に送信する。
【００６１】
またＣＭデータの製作会社はあらかじめ定められた固定長の時間でＣＭデータを製作し，それをＣＭ配信サーバ４からデジタルサイネージ配信会社システム２に送信する。
【００６２】
このようにして送信されたニュース素材データは，デジタルサイネージ配信会社システム２のニュースサーバ６のニュース素材データ取得部６１で取得し，ニュース素材データ記憶部６２に記憶する（Ｓ１００）。
【００６３】
そしてレンダリングデータ生成部６３は，ニュース素材データ記憶部６２に記憶したニュース素材データに基づいて，自動的にレンダリング処理を実行し，レンダリングデータを生成する。
【００６４】
すなわち，レンダリングデータ生成部６３におけるヘッドラインレイアウト処理部６３１は，まだヘッドライン項目が割り当てられていないヘッドラインのうち，最も新しく放送されるヘッドラインに対して，ニュース素材データにおける付随データのうちのヘッドライン項目を割り当てる（Ｓ１１０）。
【００６５】
またビデオレイアウト処理部６３２は，ニュース素材データにおける動画データの放送時間に基づいて，ヘッドラインの表示時間，バックラインの表示時間を増減することで調整し，あらかじめ定められた固定長の時間，例えば１分間になるように調整する（Ｓ１２０）。
【００６６】
またロール処理部６３３は，動画データの放送時間に合わせて，付随データにおけるコメントのテキストデータがロールする速度または静止表示を設定する（Ｓ１３０）。なお，テキストがロールする速度は一定であっても良い。
【００６７】
以上のような処理を実行することで自動的にレンダリングデータを生成する。そして，割当処理部６５が，ヘッドラインを所定数ごと，たとえば５項目ごとに区切り，それを１組として，
１組のニュース枠のレンダリングデータの転送時間＜現在時刻からニュース枠の放送開始時刻までの時間
の条件を充足するニュース枠であって，それらのニュース枠のうちまだ埋まっていないニュース枠の最も早い放送のニュース枠に割当を行う（Ｓ１４０）。
【００６８】
そして，デジタルサイネージ配信サーバ８におけるレンダリングデータ取得部８１が，ニュースサーバ６において生成した１組のニュース枠としてまとめられたレンダリングデータを取得する（Ｓ１５０）。また，上記のニュース枠に対応するＣＭデータをＣＭデータ取得部８２が，ＣＭサーバ７から取得する（Ｓ１６０）。そしてこれらのレンダリングデータとＣＭデータとは，当該ニュースの放送開始時刻が到来するまで，所定の記憶装置９１で記憶される。
【００６９】
そして図７に示すように配信スケジュールに従って放送開始時刻が到来すると，当該ニュース枠におけるニュースのレンダリングデータとＣＭデータとを，配信処理部８３が各デジタルサイネージ端末５に配信する（Ｓ１７０）。そしてデジタルサイネージ端末５では，図７に示すような配信スケジュールに従って，逐次，ニュースとＣＭとを再生することで，視聴者はそれを視聴する。
【００７０】
なお，デジタルサイネージ配信サーバ８は，当該ニュース枠の放送開始時刻前までに事前に各デジタルサイネージ端末５に対して当該ニュース枠におけるニュースのレンダリングデータとＣＭデータとを配信しておき，放送開始時刻まで各デジタルサイネージ端末５の記憶装置９１で記憶し，配信スケジュールにおける放送開始時刻が到来すると，それを再生することで放送しても良い。
【産業上の利用可能性】
【００７１】
本発明のニュース配信システム１により，鮮度の高いニュースの配信を受け，それを所定時間の長さに揃えて放送することが出来る。そのため，視聴者は自らが視聴を希望するニュースがどのタイミングで放送されるかを予測できるので，放送に対する関心を引きつけておくことが出来る。また，放送されるニュースは鮮度の高いものであることから，視聴者の関心をこの観点からも引きつけておくことが出来る。さらに，放送に関心が惹起されていることから，ニュースの間に放送されるＣＭコンテンツにも注目を呼ぶことができ，ＣＭコンテンツの価値を高めることにも繋がる。
【符号の説明】
【００７２】
１：ニュース配信システム
２：デジタルサイネージ配信会社システム
３：ニュース配信サーバ
４：ＣＭ配信サーバ
５：デジタルサイネージ端末
６：ニュースサーバ
７：ＣＭサーバ
８：デジタルサイネージ配信サーバ
６１：ニュース素材データ取得部
６２：ニュース素材データ記憶部
６３：レンダリングデータ生成部
６４：レンダリングデータ記憶部
６５：割当処理部
８１：レンダリングデータ取得部
８２：ＣＭデータ取得部
８３：配信処理部
９０：演算装置
９１：記憶装置
９２：表示装置
９３：入力装置
９４：通信装置
６３１：ヘッドラインレイアウト処理部
６３２：ビデオレイアウト処理部
６３３：ロール処理部
【図１】
2014220679.tif 000003
【図２】
2014220679.tif 000004
【図３】
2014220679.tif 000005
【図４】
2014220679.tif 000006
【図５】
2014220679.tif 000007
【図６】
2014220679.tif 000008
【図７】
2014220679.tif 000009